(57)【要約】【課題】硬貨の積層枚数が異なる複数種類の棒金を収納した場合に、その棒金の種類を低コストで検出でき、汎用性と利便性を向上させることができる棒金収納装置、及び該棒金収納装置を備える棒金収納管理システムを提供する。【解決手段】棒金収納装置１０は、装置本体２２に収納可能且つ引出し可能に設置された収納トレイ２６と、収納トレイ２６に設けられ、硬貨の積層枚数が異なる複数種類の棒金を収納可能な収納ポケット２８とを備え、さらに、収納ポケット２８内に収納された棒金を検出可能であると共に、該収納された棒金の硬貨の積層枚数による種類の違いに応じた検出結果を出力可能な検出部３４と、収納ポケット２８内に収納された棒金を、検出部３４による検出位置に移動させる棒金移動部材２７とを備える。【選択図】図８
2014071473.tif 000002
【特許請求の範囲】
【請求項１】
筐体に収納可能且つ引出し可能に設置された収納トレイと、
前記収納トレイに設けられ、硬貨の積層枚数が異なる複数種類の棒金を収納可能な収納ポケットと、
を備える棒金収納装置であって、
前記収納ポケット内に収納された棒金を検出可能であると共に、該収納された棒金の前記硬貨の積層枚数による種類の違いに応じた検出結果を出力可能な検出手段と、
前記収納ポケット内に収納された棒金を、前記検出手段による検出位置に移動させる棒金移動部材と、
を備えることを特徴とする棒金収納装置。
【請求項２】
請求項１記載の棒金収納装置において、
前記棒金移動部材は、前記筐体に固定されており、前記収納トレイが前記筐体の外部へと引出されて収納ポケット内に棒金が収納された後、筐体の内部へと収納される際に、前記収納ポケット内に収納された棒金に当接することにより、該棒金を収納ポケット内で移動させることを特徴とする棒金収納装置。
【請求項３】
請求項２記載の棒金収納装置において、
前記棒金として、硬貨を所定枚数積層した第１棒金と、硬貨の積層枚数が前記第１棒金の半分未満の第２棒金との２種類が規定されている場合に、
前記検出手段は、前記収納ポケットの長手方向に沿って一端側から他端側に向かって順に並べられた複数のセンサを有し、
前記棒金移動部材は、第１棒金が収納ポケットに収納された場合には、全てのセンサが検出状態となる位置に該第１棒金を移動させ、１本又は２本の前記第２棒金が収納ポケットに収納された場合には、少なくとも該棒金移動部材による棒金の移動方向で最も後方側のセンサが非検出状態となる位置に該第２棒金を移動させることを特徴とする棒金収納装置。
【請求項４】
請求項２又は３記載の棒金収納装置において、
前記棒金移動部材は、一端側に突部を有し、他端側が前記収納トレイを収納する筐体の開口部の内壁面に固定された板状弾性部材であり、
前記板状弾性部材は、前記収納トレイを筐体に収納する際に棒金の一端に前記突部が引っ掛かることで該棒金を移動させ、その後、弾性変形して前記突部が棒金の外周面へと乗り上げ可能であることを特徴とする棒金収納装置。
【請求項５】
請求項２又は３記載の棒金収納装置において、
前記棒金移動部材は、フック部材と、該フック部材が一端側に設けられ、他端側が前記収納トレイを収納する筐体の開口部の内壁面に固定された弾性部材とを有し、
前記棒金移動部材は、前記収納トレイを筐体に収納する際に棒金の一端に前記フック部材が引っ掛かることで前記弾性部材が伸張しながら該棒金を移動させることを特徴とする棒金収納装置。
【請求項６】
請求項５記載の棒金収納装置において、
前記収納トレイが収納される際、前記フック部材は前記弾性部材の付勢力に抗して棒金によって移動されると共に、前記収納トレイが筐体の内部に所定位置まで収納された後は、前記弾性部材の付勢力によって棒金を収納ポケットの一端面側へと引寄せた状態で保持することを特徴とする棒金収納装置。
【請求項７】
請求項１〜６のいずれか１項に記載の棒金収納装置と、
前記検出手段から出力される検出結果に基づき、前記硬貨の積層枚数の違いによる棒金の種類を判別する判別手段と、
を備えることを特徴とする棒金収納管理システム。
【発明の詳細な説明】
【技術分野】
【０００１】
本発明は、硬貨の積層枚数が異なる複数種類の棒金を収納可能な棒金収納装置、及び該棒金収納装置を備える棒金収納管理システムに関する。
【背景技術】
【０００２】
昨今のスーパーマーケットやコンビニエンスストアでは、ＰＯＳ（Ｐｏｉｎｔ  Ｏｆ  Ｓａｌｅｓ）レジスタに自動釣銭機、自動釣札機と称される貨幣処理装置が接続されているのが一般的である。貨幣処理装置は、例えば、貨幣が投入された場合にこれを識別して収納する一方、ＰＯＳレジスタから出金指令が与えられた場合には該当する金額の貨幣を払い出すようにしたものである。
【０００３】
この種の貨幣処理装置の中には、棒金収納装置を付設したものがある。棒金収納装置は、予め設定した枚数の同一種類の硬貨を積層して包装した棒金（棒状硬貨）を収納するものであり、貨幣処理装置において出金する硬貨が足りなくなった場合には、棒金収納装置から足りなくなった硬貨と同一種類の棒金が取り出され、貨幣処理装置に補充される。
【０００４】
ところで、一般的に用いられる棒金には、１０円や１００円等の硬貨を同一種類毎に、例えば５０枚単位で包装したものが用いられているが、硬貨の種類によっては積層枚数を変更した複数種類の棒金が設定されている場合がある。例えば、日本国の硬貨の中でも高額な５００円硬貨は、５０枚単位では２５０００円となり、釣銭準備金の圧縮の障害となっており、通常の枚数（５０枚）よりも少ない２０枚単位の棒金も一部流通している。
【０００５】
従って、上記のような棒金収納装置では、利用者の業務内容や使用状況に応じて、例えば、５０枚単位の棒金（通常棒金）と、２０枚単位の棒金（短棒金）とを適宜利用できることが望まれている。このような要望に対して、特許文献１には、収納される５００円硬貨の棒金の種類が５０枚単位のものか又は２０枚単位のものかを予め設定しておくことにより、収納された通常棒金又は短棒金を検出することができる棒金収納装置が開示されている。
【先行技術文献】
【特許文献】
【０００６】
【特許文献１】特開２００７−２１３２０６号公報
【発明の概要】
【発明が解決しようとする課題】
【０００７】
ところが、上記特許文献１記載の構成では、使用前に又は工場出荷時等に通常棒金と短棒金のいずれの種類を収納するかを設定しておく必要があり、利用現場での状況に応じて５０枚単位の通常棒金と２０枚単位の短棒金とを適宜に収納させることが困難である。また、例えば、通常棒金の使用設定が成されている場合に、収納ポケット内に短棒金を２本収納した場合、装置は通常棒金が１本収納されていると判別してしまい、残金管理を誤る可能性もある。なお、収納ポケット内に多数のセンサを設置することで通常棒金と短棒金とを区別して検出することも考えられるが、センサ数が増大して装置コストが増加し、その判別制御も複雑化することになる。
【０００８】
本発明は、上記従来の課題を考慮してなされたものであり、硬貨の積層枚数が異なる複数種類の棒金を収納した場合に、その棒金の種類を低コストで検出でき、汎用性と利便性を向上させることができる棒金収納装置、及び該棒金収納装置を備える棒金収納管理システムを提供することを目的とする。
【課題を解決するための手段】
【０００９】
本発明に係る棒金収納装置は、筐体に収納可能且つ引出し可能に設置された収納トレイと、前記収納トレイに設けられ、硬貨の積層枚数が異なる複数種類の棒金を収納可能な収納ポケットとを備える棒金収納装置であって、前記収納ポケット内に収納された棒金を検出可能であると共に、該収納された棒金の前記硬貨の積層枚数による種類の違いに応じた検出結果を出力可能な検出手段と、前記収納ポケット内に収納された棒金を、前記検出手段による検出位置に移動させる棒金移動部材とを備えることを特徴とする。
【００１０】
このような構成によれば、硬貨の積層枚数の異なる複数種類の棒金のいずれかを収納ポケット内に収納するだけで、収納された棒金は棒金移動部材によって検出手段による検出位置に移動させられ、その種類に応じて異なる検出結果が検出手段から出力される。このため、収納された棒金の種類を、例えば当該装置の内部又は外部に設けた制御ユニットで容易に判別することができる。しかも、棒金移動部材によって棒金を検出手段の検出位置に移動させることができるので、検出手段の構成を簡素化することができ、低コストで利用者の利便性を向上させることができる。さらに、棒金の種類毎に設定処理等を行う必要がないため、装置の汎用性が向上する。
【００１１】
また、本発明に係る棒金収納管理システムは、前記棒金収納装置と、前記検出手段から出力される検出結果に基づき、前記硬貨の積層枚数の違いによる棒金の種類を判別する判別手段とを備えることにより、該判別手段によって収納ポケットに収納された棒金の種類を判別し、その収納状態を適切に管理することができる。
【発明の効果】
【００１２】
本発明によれば、硬貨の積層枚数の異なる複数種類の棒金のいずれかを収納ポケット内に収納するだけで、収納された棒金の種類に応じて異なる検出結果を検出手段から出力させることができる。このため、収納された棒金の種類を、例えば当該装置の内部又は外部に設けた制御ユニットで判別することができる。しかも、棒金移動部材によって棒金を検出手段の検出位置に移動させることができるので、検出手段の構成を簡素化することができ、低コストで利用者の利便性を向上させることができる。さらに、棒金の種類毎に設定処理等を行う必要がないため、装置の汎用性が向上する。
【００１３】
また、本発明によれば、前記検出手段から出力される検出結果に基づき、硬貨の積層枚数の違いによる棒金の種類を判別する判別手段を備えたシステムを構築することにより、該判別手段によって収納ポケットに収納された棒金の種類を判別し、その収納状態を適切に管理することができる。
【図面の簡単な説明】
【００１４】
【図１】図１は、本発明の一実施形態に係る棒金収納管理システムであるレジシステムの構成例を示すブロック図である。
【図２】図２は、貨幣処理装置と棒金収納装置の正面図である。
【図３】図３は、図２に示す貨幣処理装置の平面図である。
【図４】図４は、図２に示す棒金収納装置の斜視図である。
【図５】図５は、図４に示す棒金収納装置において、装置本体から引出しを引出した状態を示す斜視図である。
【図６】図６は、各種の棒金の構成例を示す図であり、図６（Ａ）は、通常棒金を示す図であり、図６（Ｂ）は、短棒金を示す図である。
【図７】図７は、第１の実施形態に係る棒金収納装置に設けられる収納ポケットの構成図であり、図７（Ａ）は、収納ポケットを上面側から見た斜視図であり、図７（Ｂ）は、収納ポケットを底面側から見た斜視図である。
【図８】図８は、図７に示す収納ポケットの側面断面図である。
【図９】図９は、図８に示す棒金収納装置の収納ポケットに通常棒金Ａを収納する動作の前半部分を示す動作図であり、図９（Ａ）は、収納トレイが装置本体の内部に収納された状態を示す図であり、図９（Ｂ）は、図９（Ａ）に示す状態から収納トレイを引出し、通常棒金を収納した状態を示す図であり、図９（Ｃ）は、図９（Ｂ）に示す状態から収納トレイを装置本体へと押し込み始めた状態を示す図である。
【図１０】図１０は、図９に示す通常棒金の収納動作の後半部分を示す動作図であり、図１０（Ａ）は、図９（Ｃ）に示す状態から棒金移動部材に棒金が当接した状態を示す図であり、図１０（Ｂ）は、図１０（Ａ）に示す状態から収納トレイがさらに押し込まれた状態を示す図であり、図１０（Ｃ）は、図１０（Ｂ）に示す状態から収納トレイの装置本体への収納が完了した状態を示す図である。
【図１１】図１１は、図８に示す棒金収納装置の収納ポケットに１本の短棒金Ｂを収納する動作を示す動作図であり、図１１（Ａ）は、引出した収納トレイに短棒金を収納した状態を示す図であり、図１１（Ｂ）は、図１１（Ａ）に示す状態から収納トレイを装置本体へと押し込み始めた状態を示す図であり、図１１（Ｃ）は、図１１（Ｂ）に示す状態から棒金移動部材によって短棒金が移動させられた状態を示す図であり、図１１（Ｄ）は、図１１（Ｃ）に示す状態から収納トレイの装置本体への収納が完了した状態を示す図である。
【図１２】図１２は、図８に示す棒金収納装置の収納ポケットに２本の短棒金を収納する動作の前半部分を示す動作図であり、図１２（Ａ）は、引出した収納トレイに２本の短棒金を収納した状態を示す図であり、図１２（Ｂ）は、図１２（Ａ）に示す状態から収納トレイを装置本体へと押し込み始めた状態を示す図であり、図１２（Ｃ）は、図１２（Ｂ）に示す状態から棒金移動部材によって奥側の短棒金が移動させられた状態を示す図である。
【図１３】図１３は、図１２に示す２本の短棒金の収納動作の後半部分を示す動作図であり、図１３（Ａ）は、図１２（Ｃ）に示す状態から棒金移動部材によって２本の短棒金が移動させられる状態を示す図であり、図１３（Ｂ）は、図１３（Ａ）に示す状態から収納トレイがさらに押し込まれた状態を示す図であり、図１３（Ｃ）は、図１３（Ｂ）に示す状態から収納トレイの装置本体への収納が完了した状態を示す図である。
【図１４】図１４は、棒金移動部材の別の設置位置を説明するための図である。
【図１５】図１５は、第２の実施形態に係る棒金収納装置に設けられる収納ポケットに通常棒金を収納する動作の前半部分を示す動作図であり、図１５（Ａ）は、収納トレイが装置本体の内部に収納された状態を示す図であり、図１５（Ｂ）は、図１５（Ａ）に示す状態から収納トレイを引出した状態を示す図であり、図１５（Ｃ）は、図１５（Ｂ）に示す状態から通常棒金を収納した状態を示す図である。
【図１６】図１６は、図１５に示す通常棒金Ａの収納動作の後半部分を示す動作図であり、図１６（Ａ）は、図１５（Ｃ）に示す状態から収納トレイを装置本体へと押し込み始めた状態を示す図であり、図１６（Ｂ）は、図１６（Ａ）に示す状態から棒金移動部材によって通常棒金が移動させられ、コイルばねが大きく伸張した状態を示す図であり、図１６（Ｃ）は、図１６（Ｂ）に示す状態から収納トレイの装置本体への収納が完了した状態を示す図である。
【図１７】図１７は、図１５に示す棒金収納装置の収納ポケットに１本の短棒金を収納する動作を示す動作図であり、図１７（Ａ）は、引出した収納トレイに短棒金を収納した状態を示す図であり、図１７（Ｂ）は、図１７（Ａ）に示す状態から収納トレイを装置本体へと押し込み始めた状態を示す図であり、図１７（Ｃ）は、図１７（Ｂ）に示す状態から棒金移動部材によって短棒金が移動させられた状態を示す図であり、図１７（Ｄ）は、図１７（Ｃ）に示す状態から収納トレイの装置本体への収納が完了した状態を示す図である。
【図１８】図１８は、図１５に示す棒金収納装置の収納ポケットに２本の短棒金を収納する動作を示す動作図であり、図１８（Ａ）は、引出した収納トレイに２本の短棒金を収納した状態を示す図であり、図１８（Ｂ）は、図１８（Ａ）に示す状態から収納トレイを装置本体へと押し込み始め、棒金移動部材によって奥側の短棒金が移動させられる状態を示す図であり、図１８（Ｃ）は、図１８（Ｂ）に示す状態から棒金移動部材によって２本の短棒金が移動させられる状態を示す図であり、図１８（Ｄ）は、図１８（Ｃ）に示す状態から収納トレイの装置本体への収納が完了した状態を示す図である。
【図１９】図１９は、１本の通常棒金又は１〜３本の短棒金を収納する構成例に係る棒金収納装置における収納ポケットの側面断面図である。
【発明を実施するための形態】
【００１５】
以下、本発明に係る棒金収納装置について、この装置を備えたシステムとの関係で好適な実施の形態を挙げ、添付の図面を参照しながら詳細に説明する。
【００１６】
１．棒金収納管理システムの全体構成の説明
先ず、第１の実施形態に係る棒金収納装置１０を適用したレジシステム（棒金収納管理システム）１２の構成例について説明する。図１は、本発明の一実施形態に係る棒金収納管理システムであるレジシステム１２の構成例を示すブロック図である。
【００１７】
図１に示すように、レジシステム１２は、ＰＯＳレジスタ（金銭登録装置）１４と、貨幣処理装置１６と、棒金収納装置１０とを備える。レジシステム１２は、例えば、スーパーマーケットやコンビニエンスストア等の店舗に設置され、釣銭や棒金の管理・収納等を行うためのシステム（棒金収納管理システム）を構成する。
【００１８】
ＰＯＳレジスタ１４は、装置の統括的な制御や各種の演算処理等を行う制御ユニット１５を備え、利用者であるレジ担当者の操作により商品のコードを読み取り、商品のコード、数量を登録する一方、商品のコードから商品のアイテム、商品の金額を呼び出し、商品の合計金額（請求金額）と顧客から受け取ったお金との差額（釣銭額）とを算出する。そして、ＰＯＳレジスタ１４は、これに付随する金額表示器（図示せず）に算出した請求金額を表示すると共に、釣銭額を表示する。これにより、顧客は請求金額と釣銭額とを知ることができる。ＰＯＳレジスタ１４の制御ユニット１５からは、貨幣処理装置１６を構成する釣銭機１８の制御ユニット１９へと釣銭額（出金額）が通知される。
【００１９】
ＰＯＳレジスタ１４には、貨幣処理装置１６を構成する釣銭機１８が接続してある。釣銭機１８は、装置の統括的な制御や各種の演算処理等を行う制御ユニット１９を備える。釣銭機１８には、該釣銭機１８と共に貨幣処理装置１６を構成する釣札機２０が接続してある。貨幣処理装置１６は、レジ担当者が投入した貨幣（硬貨及び紙幣）を受け入れる一方、釣銭となる貨幣を払い出すもので、釣銭機１８において、受け入れた貨幣の金額（入金額）、払い出された貨幣の金額（出金額）、有り高を管理する。そして、釣銭機１８は、釣銭機１８又は釣札機２０が貨幣を受け入れた場合にその入金額をＰＯＳレジスタ１４に通知する一方、ＰＯＳレジスタ１４の制御ユニット１５から通知された出金額を受信し、釣銭機１８又は釣札機２０から出金額に相当する貨幣を払い出す。これにより、レジ担当者は、貨幣を数えることなく釣銭を出金できる。
【００２０】
釣銭機１８には、棒金収納装置１０が接続してある。棒金収納装置１０は、装置の統括的な制御や各種の演算処理、さらには後述する棒金種類の判別処理等を行う制御ユニット２１を備え、釣銭機１８に補充する硬貨を準備金として収納するものである。棒金収納装置１０の制御ユニット２１から釣銭機１８の制御ユニット１９へと、該棒金収納装置１０に収納している棒金（棒状硬貨）の種類や数量が通知される。ここで、棒金（棒状硬貨）とは、同一種類の硬貨を予め設定した枚数だけ積層して包装し、１つの取扱単位として構成したものである。本実施形態に係る棒金収納装置１０は、１円硬貨、５円硬貨、１０円硬貨、５０円硬貨、１００円硬貨、５００円硬貨をそれぞれ所定の枚数ずつ包装した棒金を収納対象としており、特に同一硬貨を積層枚数の違いによって種類分けされた棒金（本実施形態では５００円硬貨の棒金）の収納に有効である。棒金収納装置１０は、釣銭機１８ではなく釣札機２０に接続してもよい。
【００２１】
上記のレジシステム１２を用いて商品の代金を精算する場合には、先ず、レジ担当者がＰＯＳレジスタ１４を操作し、商品のコード、数量を入力することにより、ＰＯＳレジスタ１４に商品のコード、数量を登録する。商品のコード、数量がＰＯＳレジスタ１４に登録されると、制御ユニット１５は、商品のコードから商品のアイテム、商品の金額を呼び出し商品の合計金額（請求金額）を算出し、ＰＯＳレジスタ１４に付随する金額表示器に請求金額を表示する。これにより、顧客は請求金額を認識し、請求金額以上のお金（預かり金）をレジ担当者に支払うことになる。
【００２２】
レジ担当者は、顧客が支払ったお金を確認して受け取り、それを貨幣処理装置１６に投入する。貨幣処理装置１６は、レジ担当者が投入したお金（貨幣）を受け入れ、受け入れた金額（入金額）を釣銭機１８からＰＯＳレジスタ１４に通知する。ＰＯＳレジスタ１４は、釣銭機１８から通知された金額を預かり金として金額表示器に表示する。そして、レジ担当者がお金の投入完了をＰＯＳレジスタ１４に入力すると、制御ユニット１５は、預かり金と請求金額の差額を算出し、釣銭額として金額表示器に表示すると共に、その差額を出金額として釣銭機１８の制御ユニット１９に通知し、ＰＯＳレジスタ１４に付随するプリンタ（図示せず）からレシートを出力する。
【００２３】
ＰＯＳレジスタ１４から釣銭機１８に出金額が通知されると、釣銭機１８は、釣札機２０と釣銭機１８とから出金額に相当する金額の貨幣を払い出す。レジ担当者は、プリンタから出力されたレシートと共にこの貨幣をお釣りとして顧客に受け渡し、代金の精算を終了する。
【００２４】
このようなレジシステム１２において、釣銭機１８の硬貨が足りなくなると、釣銭機１８からＰＯＳレジスタ１４に硬貨の補充が必要である旨を通知する。釣銭機１８からＰＯＳレジスタ１４に硬貨の補充が必要である旨が通知されると、ＰＯＳレジスタ１４は、その旨をＰＯＳレジスタ１４に付随する表示部（図示せず）に表示する。この表示を見てレジ担当者がＰＯＳレジスタ１４に付随する操作部（図示せず）から補充操作を入力すると、ＰＯＳレジスタ１４から釣銭機１８に補充指令を通知する。ＰＯＳレジスタ１４から補充指令が通知された釣銭機１８は、硬貨の補充を許可し、棒金収納装置１０から棒金の取り出しを可能にする。これにより、レジ担当者は棒金収納装置１０から棒金を取り出して、釣銭機１８に硬貨を補充することになる。釣銭機１８への硬貨の補充が終了すると、釣銭機１８はＰＯＳレジスタ１４に硬貨の補充を終了した旨を通知する。釣銭機１８から硬貨の補充が終了した旨が通知されると、ＰＯＳレジスタ１４は、商品の代金の精算が可能な状態に復帰する。
【００２５】
２．棒金収納装置の構成例の説明
２．１  第１の実施形態に係る棒金収納装置の説明
次に、第１の実施形態に係る棒金収納装置（棒金収納庫）１０について説明する。
【００２６】
図２は、貨幣処理装置１６と棒金収納装置１０の正面図であり、図３は、図２に示す貨幣処理装置１６の平面図である。図４は、図２に示す棒金収納装置１０の斜視図であり、図５は、図４に示す棒金収納装置１０において、装置本体２２から引出し２４を引出した状態を示す斜視図である。
【００２７】
図２〜図５に示すように、本実施形態に係る棒金収納装置１０は、装置本体（筐体）２２と、装置本体２２に収納可能且つ装置本体２２の前面から手前側に引出し可能な引出し２４とを備え、制御ユニット２１は、例えば装置本体２２内に搭載される。装置本体２２は、引出し２４を内部に収納可能且つ外部に引出し可能な形状で前面に開口した開口部（開口空間、引出し収納部）２２ａを有し、直方体形状からなる。引出し２４は、開口部２２ａ内に完全に挿入・収納可能な大きさに構成した箱体であり、上面が開口した直方体形状からなる。開口部２２ａの内壁面（本実施形態では天面２２ｂ）には、後述する棒金移動部材２７が設けられている。装置本体２２は、引出し２４を引出し可能に収納可能な筐体（ハウジング）であればよく、必ずしも制御ユニット２１を備えたものでなくてもよく、さらに開口部２２ａは一方向のみが開口したもの以外であってもよい。
【００２８】
図５に示すように、引出し２４の内部には、収納トレイ２６が取り付けてある。収納トレイ２６は、予め定めた種類の棒金を予め定めた位置に収納するためのものである。図５に示す例において、収納トレイ２６には、棒金を収納する複数の収納ポケット（収納溝）２８と、紙幣や商品券等の紙葉類を収納する紙葉類収納庫３０と、棒金をばらしたバラ硬貨等を収納するバラ硬貨収納庫３２とが設けてある。
【００２９】
ところで、上記したように、一般的に用いられる棒金において、１０円や１００円等の硬貨は、同一種類を、例えば５０枚単位で包装したものが用いられているが、例えば５００円硬貨は、積層枚数が異なる２種類の棒金、すなわち、５０枚単位の棒金（通常棒金、長棒金）と２０枚単位の棒金（短棒金）とが用いられている。
【００３０】
図６（Ａ）及び図６（Ｂ）に示すように、５０枚単位の棒金である通常棒金（第１棒金）Ａの長手方向（積層方向）の長さをＬＡ（例えば、５００円硬貨の場合に９４ｍｍ程度）と称し、２０枚単位の棒金である短棒金（第２棒金）Ｂの長手方向（積層方向）の長さをＬＢ（例えば、５００円硬貨の場合に４０ｍｍ程度）と称すると、当然に、長さＬＡ＞長さＬＢとなる。ここで、短棒金Ｂの長さＬＢは、通常棒金Ａの長さＬＡの半分未満であり、また長さＬＢは長さＬＡの３分の１より大きい値となっており（１／３ＬＡ＜ＬＢ＜１／２ＬＡ）、ＬＢ×２＜ＬＡ、とも言える。通常、これら通常棒金Ａ及び短棒金Ｂ等の棒金は、その長手方向両端面に、硬貨を包み込むラミネート材の端縁部分である丸まり部分３３（例えば、長手方向左右にそれぞれ２ｍｍ程度）が形成されている。
【００３１】
棒金収納装置１０は、このように積層枚数の違いによって区別された複数種類の棒金が収納ポケット２８に収納された場合に、その種類と本数を検出・判別する検出手段及び判別手段を有することにより、収納される種類を予め設定等する必要がなく、利用者の利便性が高いものとなっている。
【００３２】
図７は、第１の実施形態に係る棒金収納装置１０に設けられる収納ポケット２８の構成図であり、図７（Ａ）は、収納ポケット２８を上面側から見た斜視図であり、図７（Ｂ）は、収納ポケット２８を底面側から見た斜視図である。図８は、図７に示す収納ポケット２８の側面断面図であり、収納ポケット２８に棒金を収納せず、引出し２４を開口部２２ａの内部で奥部が突き当たる所定の収納位置まで収納した状態を示している。図８では、図面の見易さを確保するため、収納ポケット２８等の断面ハッチング等を省略して図示しており、以降の各図面についても同様である。
【００３３】
図７（Ａ）、図７（Ｂ）及び図８に示すように、棒金収納装置１０は、同一硬貨の積層枚数が異なる複数種類、ここでは２種類の棒金である通常棒金Ａ又は短棒金Ｂが収納ポケット２８に収納された場合に、該収納された棒金を検出する検出部（検出手段）３４と、収納ポケット２８内に収納された棒金を検出部３４による所定の検出位置に移動させる棒金移動部材２７と、検出部３４による検出結果を受けて、収納ポケット２８内に収納された棒金の種類と本数を判別する棒金制御部（判別手段）３６とを備える。
【００３４】
棒金制御部３６は、制御ユニット２１に設けられ、上位となる釣銭機１８の制御ユニット１９との間で情報のやり取りが可能であり、釣銭機１８からの指示により、検出部３４によって検出された棒金の種類及び本数を釣銭機１８に通知し、さらに引出し２４に付設されたロック機構（図示せず）に対して引出し２４の開閉の要否（ロック指示及びアンロック指示）を通知する。
【００３５】
棒金制御部３６は、棒金収納装置１０の制御ユニット２１ではなく、図１に示すように、貨幣処理装置１６を構成する釣銭機１８の制御ユニット１９、ＰＯＳレジスタ１４の制御ユニット１５、又は釣札機２０の制御ユニット２３に設けてもよい。さらには、これらＰＯＳレジスタ１４、貨幣処理装置１６及び棒金収納装置１０とは別体で制御ユニット（制御装置）２５を設け、この制御ユニット２５に棒金制御部３６を設けてもよい。制御ユニット２５は、少なくとも棒金収納装置１０、貨幣処理装置１６及びＰＯＳレジスタ１４のいずれか１つと通信可能に接続されればよい。
【００３６】
検出部３４は、収納ポケット２８への棒金の収納方向である長手方向に沿って、一端側から他端側に向かって順に並べられた第１センサＳ１、第２センサＳ２、及び第３センサＳ３からなる３個のセンサを有する。第２センサＳ２は、収納ポケット２８の長手方向中央に配置されている。第１センサＳ１は、収納ポケット２８の長手方向一端側の一端面２８ａからやや中央寄りに配置され、第３センサＳ３は、収納ポケット２８の他端面２８ｂからやや中央寄りに配置されている。
【００３７】
図７（Ａ）及び図７（Ｂ）に示すように、本実施形態の場合、検出部３４を構成する各センサＳ１〜Ｓ３は、それぞれ投光器３５ａ及び受光器３５ｂからなる光センサである。センサＳ１〜Ｓ３は、収納ポケット２８内に載置された棒金の有無を検知できるものであればよく、例えば、上下動式やレバー式等のＯＮ・ＯＦＦスイッチ（リミットスイッチ）や、棒金を構成する磁性体（金属媒体）に反応する磁気コイル式のセンサ等で構成してもよい。また、各センサＳ１〜Ｓ３をそれぞれ異なる方式のセンサによって構成してもよい。
【００３８】
各センサＳ１〜Ｓ３は、投光器３５ａからの光を受光器３５ｂが受光している場合には非検出状態（ＯＦＦ）となり、この光が収納ポケット２８内に収納された棒金によって遮断されると検出状態（ＯＮ）となることで、センサＳ１〜Ｓ３が各位置での棒金の有無を検出し、検出結果（検出信号）を外部に出力する。このような検出部３４からの検出結果は、図示しないセンサ処理回路等を介して棒金制御部３６に送信される。そこで、棒金制御部３６は、送信された検出結果に基づき、棒金の種類や本数を特定する判別処理を実行し、判別結果をＰＯＳレジスタ１４等に送信する。
【００３９】
棒金移動部材２７は、収納ポケット２８内で棒金を一端面２８ａ側に移動させることで検出部３４による検出位置にセットし、検出部３４による棒金種類及び本数の正確な検出を促すためのものである。
【００４０】
図７（Ａ）及び図８に示すように、棒金移動部材２７は、先端側に突部（Ｖ形状部、押圧部）２７ａを有し、基端側が開口部２２ａの天面２２ｂに固定され、突部２７ａが収納ポケット２８の底部に向かって付勢された板ばね（板状弾性部材）である。突部２７ａは、板ばねの先端側を斜め下方へと折り曲げた後、先端部を上方に折り返した側面視Ｖ字形状である。突部２７ａの基端側部分は、矢印Ｚ２方向に向かって下方に傾斜する傾斜面２７ｂを形成している。
【００４１】
棒金移動部材２７は、開口部２２ａの天面２２ｂにおいて、収納ポケット２８と相対する位置に固定されており、棒金移動部材２７に外力が作用していない自然姿勢で、突部２７ａが収納ポケット２８内に収納された棒金に当接可能となる高さ位置に設定されている。つまり、突部２７ａの最下部と収納ポケット２８の底面との間の高さ寸法は、棒金の外径よりも小さい。
【００４２】
棒金移動部材２７は装置本体２２側に固定されているため、引出し２４の引出し動作（矢印Ｚ１方向への移動）及び収納動作（矢印Ｚ２方向への移動）の際、該引出し２４に対して相対的に逆方向に移動する。このため、突部２７ａは、引出し２４を装置本体２２へと収納する際の棒金と天面２２ｂとの相対的な逆方向（近接方向）への移動により、収納された棒金の端面（他端面２８ｂ側の端面）に引っ掛かり係止されることで該棒金を一端面２８ａ側に引寄せ移動させる。棒金を一端面２８ａに当接する位置まで引寄せ移動させると、突部２７ａは傾斜面２７ｂが棒金の端面周縁部に摺接しながら弾性変形し、該棒金の外周面（上面）に乗り上げるため、引出し２４の収納を妨げることがない（例えば、図１０（Ａ）〜図１０（Ｃ）参照）。
【００４３】
突部２７ａは、棒金を押圧移動させることができ、棒金が一端面２８ａに当接してその移動が規制された後は、棒金の周面に逃げることができるものであればいかなる形状であってもよく、例えば、板ばねの幅方向に延びる半円状又は三角形状のリブや、半球状の突起等であってもよく、棒金移動部材２７は板ばね以外の構造であってもよい。また、棒金移動部材２７は、必ずしも開口部２２ａの天面２２ｂに固定されている必要はなく、開口部２２ａの側面や図示しないブラケット等を用いて固定されていてもよい。
【００４４】
図８に示すように、収納ポケット２８は、各棒金を硬貨の積層方向に沿った向きで収納可能であると共に、最も積層枚数が長い棒金、ここでは通常棒金Ａを収納可能な長さＬ１を有し（Ｌ１≧ＬＡ）、通常棒金Ａや短棒金Ｂを横倒し姿勢で収納可能に形成された半円状の溝部である。本実施形態では、上記のように通常棒金Ａの長さＬＡが９４ｍｍ程度であり、収納ポケット２８の長さＬ１は、棒金のセットのし易さ及び取出し易さを考慮して、通常棒金の長さＬＡよりも数ｍｍ程度長くなっており、例えば、通常棒金Ａが着地する底面の長さを９６ｍｍ程度に構成している。
【００４５】
本実施形態の場合、収納ポケット２８は、１本の通常棒金Ａ、又は、１本若しくは２本の短棒金Ｂを収納可能であり、検出部３４によって収納された棒金が１本の通常棒金Ａであるか、１本若しくは２本の短棒金Ｂであるかを検出部３４によって検出可能となっている。そこで、次に、図８以後の図を参照しながら、各棒金と各センサＳ１〜Ｓ３及び棒金移動部材２７との関係について説明する。
【００４６】
通常棒金Ａが収納ポケット２８に収納された場合、通常棒金Ａは棒金移動部材２７によって収納ポケット２８の一端面２８ａ側に引寄せられ、全てのセンサＳ１〜Ｓ３が検出状態（ＯＮ）となる（図１０（Ｃ）参照）。また、１本の短棒金Ｂが収納ポケット２８に収納された場合、短棒金Ｂは棒金移動部材２７によって収納ポケット２８の一端面２８ａ側に引寄せ移動され、第１センサＳ１のみが検出状態となる（図１１（Ｄ）参照）。さらに、２本の短棒金Ｂが収納ポケット２８に収納された場合、２本の短棒金Ｂは棒金移動部材２７によって収納ポケット２８の一端面２８ａ側にまとめて引寄せ移動され、第１，第２センサＳ１，Ｓ２が検出状態となる（図１３（Ｃ）参照）。これにより、棒金制御部３６は、３個のセンサＳ１〜Ｓ３の全てが検出状態の場合に通常棒金Ａが１本収納されていると判別し、１個のセンサＳ１が検出状態の場合に短棒金Ｂが１本収納されていると判別し、２個のセンサＳ１，Ｓ２が検出状態の場合に、短棒金が２本収納されていると判別する。
【００４７】
上記のように２種類の棒金種類を３パターンで検出し判別するためのセンサＳ１〜Ｓ３及び棒金移動部材２７の配置例について図８を参照して説明すると、例えば、次の（１）〜（７）に示す関係で規定することができる。
（１）両端の第１センサＳ１と第３センサＳ３の間の間隔Ｄ１（例えば、８０ｍｍ程度）は、通常棒金Ａの長さＬＡより小さい（Ｄ１＜ＬＡ）。すなわち、収納ポケット２８に通常棒金Ａを収納した場合に全てのセンサＳ１〜Ｓ３で検知可能とするため、間隔Ｄ１は、通常棒金Ａの長さＬＡから、収納ポケット２８の長さＬ１から長さＬＡを減算した差（Ｌ１−ＬＡ）を減算した間隔｛ＬＡ−（Ｌ１−ＬＡ）｝よりも短くする。
（２）各端面２８ａ，２８ｂから両端のセンサＳ１，Ｓ３までの長さをＬ２，Ｌ３（例えば、８ｍｍ程度）とすると、棒金移動部材２７によって一端面２８ａ側に寄せられた通常棒金Ａを全てのセンサＳ１〜Ｓ３で検知可能とするため、一端面２８ａと第３センサＳ３との間の間隔（Ｌ２＋Ｄ１）は、通常棒金Ａの長さＬＡより小さい（Ｌ２＋Ｄ１＜ＬＡ）。
（３）棒金移動部材２７によって一端面２８ａ側に寄せられた１本の短棒金Ｂを第１センサＳ１のみで検知可能とするため、一端面２８ａから第１センサＳ１までの長さＬ２は、短棒金Ｂの長さＬＢより小さく、一端面２８ａから第２センサＳ２までの長さ（Ｌ２＋Ｄ２）は、短棒金Ｂの長さＬＢより大きい（Ｌ２＜ＬＢ＜Ｌ２＋Ｄ２）。
（４）棒金移動部材２７によって一端面２８ａ側にまとめて寄せられて直列配置された２本の短棒金ＢをセンサＳ１，Ｓ２で検知可能とするため、一端面２８ａから第２センサＳ２までの長さ（Ｌ２＋Ｄ２）は、短棒金Ｂの長さＬＢの２倍より小さく、一端面２８ａから第３センサＳ３までの長さ（Ｌ２＋Ｄ１）は、短棒金Ｂの長さＬＢの２倍より大きい（Ｌ２＋Ｄ２＜ＬＢ×２＜Ｌ２＋Ｄ１）。
（５）引出し２４が装置本体２２内に完全に収納された状態で、棒金移動部材２７は、１本の短棒金Ｂを一端面２８ａ側に引寄せ可能とするために、突部２７ａの位置Ｐは、収納ポケット２８の長手方向で第２センサＳ２よりも一端面２８ａ寄りに配置され、少なくとも位置Ｐと第１センサＳ１との間の間隔Ｄ４は、短棒金Ｂの長さＬＢより小さい（Ｄ４＜ＬＢ）。なお、本実施形態では、短棒金Ｂを一端面２８ａに当接する位置まで移動させるため、一端面２８ａから突部２７ａの位置Ｐまでの間の長さ（Ｌ２＋Ｄ４）を短棒金Ｂの長さＬＢより小さくしている（Ｌ２＋Ｄ４＜ＬＢ）。
（６）通常棒金Ａを収納可能とするため、収納ポケット２８の両端面２８ａ，２８ｂ間の長さＬ１が、通常棒金Ａの長さＬＡより大きい（ＬＡ＜Ｌ１）。
（７）３本の短棒金Ｂが収納されることを防止するため、収納ポケット２８の両端面２８ａ，２８ｂ間の長さＬ１が、短棒金Ｂの長さＬＢの３倍より小さい（Ｌ１＜ＬＢ×３）。
【００４８】
次に、以上のように構成される棒金収納装置１０による通常棒金Ａ及び短棒金Ｂの種類判別方法と計数方法について説明する。
【００４９】
先ず、図９及び図１０を参照して、収納ポケット２８に通常棒金Ａを収納する場合について説明する。
【００５０】
図９は、棒金収納装置１０の収納ポケット２８に通常棒金Ａを収納する動作の前半部分を示す動作図であり、図１０は、図９に示す通常棒金Ａの収納動作の後半部分を示す動作図である。図９（Ａ）〜（Ｃ）及び図１０（Ａ）〜（Ｃ）では、図面の見易さを確保するため、装置本体２２や開口部２２ａの図示を省略し、装置本体２２側に固定される棒金移動部材２７の位置を固定し、引出し２４に設けられた収納トレイ２６が引出し動作及び収納動作によって矢印Ｚ１，Ｚ２方向へと移動する状態を図示しており、以降の各図面についても同様である。また、通常棒金Ａの収納動作が完了した状態を示す図（通常棒金Ａの場合には図１０（Ｃ））では、棒金によって検出状態（ＯＮ）となったセンサ（通常棒金Ａの場合には全てのセンサＳ１〜Ｓ３）を黒丸で図示し、非検出状態（ＯＦＦ）のセンサ（通常棒金Ａの場合にはなし）を白丸で図示することにより、検出部３４を構成する各センサＳ１〜Ｓ３の状態を明示しており、以降の図１１等についても同様である。
【００５１】
先ず、図９（Ａ）に示すように装置本体２２内に収納されている収納トレイ２６（引出し２４）を装置本体２２の前面側（矢印Ｚ１方向）へと引出し、収納ポケット２８に通常棒金Ａを収納する（図９（Ｂ）参照）。本実施形態では、図９（Ｂ）に示すように、収納トレイ２６を引出した状態で、収納ポケット２８の奥側に棒金移動部材２７が一部重なる位置関係でこれら収納ポケット２８及び棒金移動部材２７を設置しているが、収納トレイ２６を引出した状態で収納ポケット２８と棒金移動部材２７が重ならず、収納ポケット２８が完全に露出する位置関係となるように構成しても勿論よい。
【００５２】
続いて、収納トレイ２６を装置本体２２の内部に収納するために、装置本体２２側（矢印Ｚ２方向）への押し込みを開始する（図９（Ｃ）参照）。そうすると、収納トレイ２６と共に矢印Ｚ２方向に移動する通常棒金Ａに対し、棒金移動部材２７は装置本体２２に固定されているため、両者が相対的に逆方向に移動し、いずれ通常棒金Ａの端面（奥面）に棒金移動部材２７の突部２７ａが当接する。このため、図１０（Ａ）に示すように、通常棒金Ａは、突部２７ａから矢印Ｚ１方向の押圧を受け、収納ポケット２８内で収納トレイ２６の移動方向とは反対の矢印Ｚ１方向（一端面２８ａ側）に引寄せ移動させられる。このように、突部２７ａは、引出し２４が押し込まれる際の力を利用して、収納ポケット２８内の棒金を一端面２８ａ側に引寄せ移動させることができる。
【００５３】
そして、通常棒金Ａの端面（手前面）が一端面２８ａに当接した後も収納トレイ２６が矢印Ｚ２方向に押し込まれることにより、突部２７ａは弾性変形しつつ、傾斜面２７ｂによって通常棒金Ａの上面（外周面）へと乗り上げる（図１０（Ｂ）参照）。その後、突部２７ａは、収納トレイ２６の収納動作に伴って通常棒金Ａの上面を摺接しながら、相対的に通常棒金Ａとは逆方向（矢印Ｚ１方向）に移動する。
【００５４】
最終的に、収納トレイ２６（引出し２４）の装置本体２２の開口部２２ａ内への収納動作が完了すると、図１０（Ｃ）に示すように、突部２７ａはセンサＳ１，Ｓ２間で通常棒金Ａの上面を下方へと付勢した状態に保持される。
【００５５】
図１０（Ｃ）に示すように、収納トレイ２６の装置本体２２内への収納が完了した状態では、一端面２８ａ側に寄せられた通常棒金Ａによって全てのセンサＳ１〜Ｓ３が検出状態（ＯＮ）となる。そこで、棒金制御部３６は、これら各センサＳ１〜Ｓ３の検出結果に基づき、通常棒金Ａが１本収納されたと判別する。
【００５６】
なお、このような検出部３４による棒金の検出及び棒金制御部３６による判別のタイミングは、例えば、センサＳ１〜Ｓ３が一定時間同じ検出状態や非検出状態となった場合に行なってもよく、また、引出し２４の装置本体２２への収納完了を図示しないセンサ等によって検知し、これをトリガとして行なってもよく、そのタイミングは適宜設定すればよい。また、棒金制御部３６による棒金種類や本数の判別処理は、収納ポケット２８への通常棒金Ａや短棒金Ｂの想定される収納パターンに基づき、各センサＳ１〜Ｓ３のいずれが検出状態でいずれが非検出状態の場合に、どの種類の棒金が何本収納されたかを示すテーブルデータを作成して棒金制御部３６に記憶しておき、実際の検出部３４の検出結果を前記テーブルデータに当てはめるようにすると、円滑な処理が可能となる。
【００５７】
次に、図１１を参照して、収納ポケット２８に１本の短棒金Ｂを収納する場合について説明する。
【００５８】
図１１は、棒金収納装置１０の収納ポケッ２８に１本の短棒金Ｂを収納する動作を示す動作図である。
【００５９】
先ず、装置本体２２内に収納されている収納トレイ２６（図９（Ａ）参照）を装置本体２２の前面側（矢印Ｚ１方向）へと引出し、収納ポケット２８に１本の短棒金Ｂを収納する（図１１（Ａ）参照）。
【００６０】
続いて、収納トレイ２６の装置本体２２内への押し込みを開始する（図１１（Ｂ）参照）。そうすると、収納トレイ２６と共に矢印Ｚ２方向に移動する短棒金Ｂと、位置が固定されている棒金移動部材２７とが相対的に逆方向に移動し、短棒金Ｂの端面（奥面）に棒金移動部材２７の突部２７ａが当接し、短棒金Ｂが収納ポケット２８内で矢印Ｚ１方向（一端面２８ａ側）に引寄せ移動させられる（図１１（Ｃ）参照）。
【００６１】
そして、短棒金Ｂの端面（手前面）が一端面２８ａに当接した後も収納トレイ２６が矢印Ｚ２方向に押し込まれることにより、突部２７ａは弾性変形しつつ短棒金Ｂの上面に乗り上げる。最終的に、収納トレイ２６（引出し２４）の装置本体２２の開口部２２ａ内への収納動作が完了すると、図１１（Ｄ）に示すように、突部２７ａはセンサＳ１，Ｓ２間で短棒金Ｂの上面を付勢した状態に保持される。
【００６２】
図１１（Ｄ）に示すように、収納トレイ２６の装置本体２２内への収納が完了した状態では、一端面２８ａ側に寄せられた１本の短棒金Ｂによって第１センサＳ１が検出状態（ＯＮ）となり、第２，第３センサＳ２，Ｓ３は非検出状態（ＯＦＦ）にある。そこで、棒金制御部３６は、これら各センサＳ１〜Ｓ３の検出結果に基づき、短棒金Ａが１本収納されたと判別する。
【００６３】
このように、棒金制御部３６では、第１センサＳ１のみが検出状態になった場合に、１本の短棒金Ｂを検出し判別している。つまり、図８及び図１４に示すように、棒金移動部材２７の突部２７ａの位置Ｐは、第２センサＳ２の側部よりも第１センサＳ１側に設置されていればよい。換言すれば、突部２７ａの位置Ｐは、収納トレイ２６が装置本体２２の内部に所定位置まで収納された状態で、３個のセンサＳ１〜Ｓ３のうちで、棒金移動部材２７による棒金の移動方向（矢印Ｚ１方向）で最も前方側の第１センサＳ１とこれに隣接した第２センサＳ２との間の位置となるように設置されている。
【００６４】
また、図１４に示すように、突部２７ａの位置Ｐを、一端面２８ａに当接した短棒金Ｂに乗り上げない位置としてもよい。そうすると、引出し２４が開口部２２ａの奥部に突き当たった際の衝撃等により、収納ポケット２８内に収納された短棒金Ｂが前後に移動した場合であっても、該短棒金Ｂの端面に突部２７ａが当接し、短棒金Ｂの矢印Ｚ２方向への移動が第２センサＳ２の手前側で規制されるため、短棒金Ｂを確実に第１センサＳ１の検出位置に保持しておくことができる。
【００６５】
次に、図１２及び図１３を参照して、収納ポケット２８に２本の短棒金Ｂを収納する場合について説明する。
【００６６】
図１２は、棒金収納装置１０の収納ポケット２８に２本の短棒金Ｂを収納する動作の前半部分を示す動作図であり、図１３は、図１２に示す２本の短棒金Ｂの収納動作の後半部分を示す動作図である。
【００６７】
先ず、装置本体２２内に収納されている収納トレイ２６（図９（Ａ）参照）を装置本体２２の前面側（矢印Ｚ１方向）へと引出し、収納ポケット２８に２本の短棒金Ｂを収納する（図１２（Ａ）参照）。２本の短棒金Ｂは、両者を直列に当接させた状態で収納してもよく、図１２（Ａ）に示すように両者を離間させた状態で収納してもよい。
【００６８】
続いて、収納トレイ２６の装置本体２２内への押し込みを開始すると、収納トレイ２６と共に矢印Ｚ２方向に移動する２本の短棒金Ｂと、位置が固定されている棒金移動部材２７とが相対的に逆方向に移動し、奥側（図１１で右側）の短棒金Ｂの端面（奥面）に棒金移動部材２７の突部２７ａが当接する（図１２（Ｂ）参照）。このため、突部２７ａからの押圧力により、奥側の短棒金Ｂが収納ポケット２８内で矢印Ｚ１方向（一端面２８ａ側）に引寄せ移動させられ、いずれ手前側（図１１で左側）の短棒金Ｂに当接し、両者がくっついて直列に並んだ状態となる（図１２（Ｃ）参照）。そうすると、棒金移動部材２７の突部２７ａによって矢印Ｚ１方向に引寄せられる奥側の短棒金Ｂにより、手前側の短棒金Ｂもまとめて一体的に矢印Ｚ１方向に引寄せ移動させられる（図１３（Ａ）参照）。
【００６９】
そして、手前側の短棒金Ｂの端面（手前面）が一端面２８ａに当接した後も収納トレイ２６が矢印Ｚ２方向に押し込まれることにより、突部２７ａは弾性変形しつつ奥側の短棒金Ｂの上面に乗り上げる（図１３（Ｂ）参照）。最終的に、収納トレイ２６（引出し２４）の装置本体２２の開口部２２ａ内への収納動作が完了すると、突部２７ａはセンサＳ１，Ｓ２間で手前側の短棒金Ｂの上面を下方へと付勢した状態に保持される（図１３（Ｃ）参照）。
【００７０】
図１３（Ｃ）に示すように、収納トレイ２６の装置本体２２内への収納が完了した状態では、一端面２８ａ側にまとめて引寄せられた２本の短棒金Ｂによって第１，第２センサＳ１，Ｓ２が検出状態（ＯＮ）となり、第３センサＳ３は非検出状態（ＯＦＦ）にある。そこで、棒金制御部３６は、これら各センサＳ１〜Ｓ３の検出結果に基づき、短棒金Ｂが２本収納されたと判別する。
【００７１】
図１３（Ｃ）に２点鎖線で示すように、棒金移動部材２７を１個追加して、２枚の棒金移動部材２７，２７を収納ポケット２８の長手方向に沿って並べた構成としてもよい。追加された２個目の棒金移動部材２７は、収納トレイ２６が装置本体２２内に完全に収納された状態で、センサＳ２，Ｓ３間で奥側の短棒金Ｂの上面を下方へと付勢する位置となるように構成するとよい。そうすると、図１３（Ｂ）に示すように、手前側の棒金移動部材２７が奥側や手前側の短棒金Ｂ上に乗り上げた後にも、奥側の棒金移動部材２７を奥側の棒金移動部材２７で引寄せることができ、２本の短棒金Ｂをより安定して直列させた状態に維持しながら、収納ポケット２８内で移動させることができる。
【００７２】
しかも、図１３（Ｃ）に示すように、収納トレイ２６の装置本体２２内への収納が完了した際、奥側の棒金移動部材２７が奥側の短棒金Ｂを保持しているため、引出し２４が開口部２２ａの奥部に突き当たった際の衝撃等により、２本の短棒金Ｂが前後に移動することを有効に防止でき、２本の短棒金ＢをセンサＳ１，Ｓ２による検出位置に確実に保持しておくことができる。なお、棒金移動部材２７を２枚設けた場合であっても、通常棒金Ａを収納する際には両方の棒金移動部材２７が通常棒金Ａ上に乗り上げ、また、１本の短棒金Ｂを収納する際には奥側の棒金移動部材２７は短棒金Ｂに当接することがないため、これらの場合であっても追加した２個目の棒金移動部材２７が邪魔になることはない。
【００７３】
また、図１４に示すように、棒金移動部材２７の突部２７ａの位置Ｐを第２センサＳ２の側部となる位置に設け、突部２７ａの先端部２７ｃが第２センサＳ２よりも第３センサＳ３側に突出する位置に設けておくことも有効である。そうすると、引出し２４が開口部２２ａの奥部に突き当たった際の衝撃等により、奥側の短棒金Ｂが矢印Ｚ２方向に移動した場合には、２本の短棒金Ｂ，Ｂ間に突部２７ａが介在する。従って、手前側の短棒金Ｂは突部２７ａの一端面２８ａ側に保持されて第１センサＳ１をＯＮし、奥側の短棒金Ｂは突部２７ａの先端部２７ｃよりも他端面２８ｂ側に保持されて第３センサＳ３をＯＮし（図１４では白丸のまま図示している）、第２センサＳ２はＯＦＦとなる。このため、棒金制御部３６は２個のセンサＳ１，Ｓ３がＯＮされたことに基づき、２本の短棒金Ｂが収納されたことを確実に判別することができる。つまり、棒金収納装置１０では、２本の短棒金Ｂが収納された場合には、棒金移動部材２７により、必ず１個のセンサＳ２又はＳ３を外す位置に各短棒金Ｂが位置決めされる。
【００７４】
２．２  第２の実施形態に係る棒金収納装置の説明
次に、第２の実施形態に係る棒金収納装置（棒金収納庫）１０ａについて説明する。
【００７５】
本実施形態に係る棒金収納装置１０ａは、上記第１の実施形態に係る棒金収納装置１０と比べて、板ばねで構成した棒金移動部材２７と異なる構造の棒金移動部材４０を備える点以外は略同様な装置であり、例えばレジシステム１２に搭載され（図１〜図５参照）、通常棒金Ａ及び短棒金Ｂの収納・検出・判別が可能である。そこで、本実施形態に係る棒金収納装置１０ａにおいて、上記第１の実施形態に係る棒金収納装置１０と同一又は同様な機能及び効果を奏する要素には同一の参照符号を付し、詳細な説明を省略する。
【００７６】
図１５は、第２の実施形態に係る棒金収納装置１０ａに設けられる収納ポケット２８に通常棒金Ａを収納する動作の前半部分を示す動作図であり、図１６は、図１５に示す通常棒金Ａの収納動作の後半部分を示す動作図である。
【００７７】
本実施形態に係る棒金収納装置１０ａに備えられる棒金移動部材４０は、上記の棒金移動部材２７と同様に、収納ポケット２８内に収納された棒金を一端面２８ａ側に移動させることで検出部３４による検出位置にセットし、検出部３４による棒金種類及び本数の正確な検出を促すためのものである。
【００７８】
図１５（Ａ）に示すように、棒金移動部材４０は、下方に屈曲したフック４２ａが先端に形成され、側面視Ｌ字形状に形成された棒状又は帯板状のフック部材４２と、先端側にフック部材４２が固定され、基端側が開口部２２ａの天面２２ｂに固定されることで矢印Ｚ１，Ｚ２方向に伸縮可能な弾性部材であるコイルばね（ねじりコイルばね）４４とを備える。フック部材４２は、コイルばね４４の伸縮動作に伴って矢印Ｚ１，Ｚ２方向にスライド可能である。
【００７９】
棒金移動部材４０は、コイルばね４４の基端が、開口部２２ａの天面２２ｂにおいて収納ポケット２８と相対する位置に固定されており、棒金移動部材４０に外力が作用せず、コイルばね４４が自然長の状態で、フック部材４２のフック４２ａが収納ポケット２８内に収納された棒金に当接可能となる高さ位置に設定されている。つまり、フック４２ａの最下部と収納ポケット２８の底面との間の高さ寸法が、棒金の外径よりも小さい。
【００８０】
上記の棒金移動部材２７と同様、棒金移動部材４０は装置本体２２側に固定されているため、引出し２４の引出し動作（矢印Ｚ１方向への移動）及び収納動作（矢印Ｚ２方向への移動）の際、該引出し２４に対して相対的に逆方向に移動する。このため、フック４２ａは、引出し２４を装置本体２２へ収納する際の棒金と天面２２ｂとの相対的な逆方向への移動により、収納された棒金の端面（他端面２８ｂ側の端面）に引っ掛かり係合することで該棒金を一端面２８ａ側に引寄せ移動させる。棒金を引寄せ移動させる際、フック部材４２はコイルばね４４の伸張動作によって引出し２４の収納方向と同方向にスライド移動する。棒金を一端面２８ａに当接する位置まで引寄せ移動させた後、棒金に引っ掛かっているフック部材４２は、コイルばね４４の付勢力に抗して該コイルばね４４を伸張させながら矢印Ｚ２方向にスライドするため、引出し２４の収納を妨げることがない。
【００８１】
棒金移動部材４０は、引出し２４の収納動作に伴って収納ポケット２８内に収納された棒金に引っ掛かり、これを引寄せ移動させながらフックがスライドすることができる構成であればいかなる構成であってもよい。また、弾性部材としてはコイルばね４４以外のものであってもよく、フック部材４０はＬ字形状以外であってもよい。また、コイルばね４４は、その伸縮距離を確保しつつ、コンパクトな構成とするために、図示しないプーリ等で折り返すことで伸縮距離を確保した構成としてもよい。さらに、棒金移動部材４０は、必ずしも開口部２２ａの天面２２ｂに固定されている必要はなく、開口部２２ａの側面や図示しないブラケット等を用いて固定されていてもよい。
【００８２】
本実施形態の場合、収納ポケット２８や検出部３４の寸法や配置は、上記第１の実施形態に係る棒金収納装置１０と同様でよいが、棒金移動部材４０と検出部３４や棒金との関係については、例えば、次のように規定するとよい。
【００８３】
すなわち、引出し２４が装置本体２２内に完全に収納された状態で、棒金移動部材４０は、１本の短棒金Ｂを一端面２８ａ側に引寄せ可能とするために、コイルばね４４の自然長でのフック４２ａの位置Ｐ２は、第２センサＳ２よりも一端面２８ａ寄りに配置され（図１５（Ａ）中に２点鎖線で示す位置Ｐ２も参照）、少なくとも位置Ｐ２と第１センサＳ１との間の間隔Ｄ５は、短棒金Ｂの長さＬＢより小さい（Ｄ５＜ＬＢ）。換言すれば、フック４２ａの位置Ｐ２は、収納トレイ２６が装置本体２２の内部に所定位置まで収納された状態で、３個のセンサＳ１〜Ｓ３のうちで、棒金移動部材２７による棒金の移動方向で最も前方側の第１センサＳ１とこれに隣接した第２センサＳ２との間の位置となるように設置されている。また、本実施形態では、短棒金Ｂを一端面２８ａに当接させる位置まで移動させるため、一端面２８ａからフック４０ａの位置Ｐ２までの間の長さ（Ｌ２＋Ｄ５）を短棒金Ｂの長さＬＢより小さくしている（Ｌ２＋Ｄ５＜ＬＢ）。
【００８４】
次に、以上のように構成される棒金収納装置１０ａによる通常棒金Ａ及び短棒金Ｂの種類判別方法と計数方法について説明する。
【００８５】
先ず、図１５及び図１６を参照して、収納ポケット２８に通常棒金Ａを収納する場合について説明する。
【００８６】
図１５（Ａ）に示すように装置本体２２内に収納されている収納トレイ２６（引出し２４）を装置本体２２の前面側（矢印Ｚ１方向）へと引出し（図１５（Ｂ）参照）、収納ポケット２８に通常棒金Ａを収納する（図１５（Ｃ）参照）。本実施形態では、図１５（Ｂ）に示すように、収納トレイ２６を引出した状態で、収納ポケット２８の奥側に棒金移動部材４０が一部重なる位置関係でこれら収納ポケット２８及び棒金移動部材４０を設置しているが、収納トレイ２６を引出した状態では、収納ポケット２８と棒金移動部材４０が重ならず、収納ポケット２８が完全に露出する位置関係となるように構成しても勿論よい。
【００８７】
続いて、収納トレイ２６を装置本体２２の内部に収納するために、装置本体２２側（矢印Ｚ２方向）への押し込みを開始する（図１５（Ｃ）参照）。そうすると、収納トレイ２６と共に矢印Ｚ２方向に移動する通常棒金Ａに対し、棒金移動部材４０は装置本体２２に固定されているため、両者が相対的に逆方向に移動し、通常棒金Ａの端面（奥面）にフック４２ａが当接し、引っ掛かる（図１６（Ａ）参照）。通常棒金Ａの端面にフック４２ａが引っ掛けられた状態で、さらに収納トレイ２６が押し込まれると、通常棒金Ａはコイルばね４４を伸張させながら、収納ポケット２８内で収納トレイ２６の移動方向とは反対の矢印Ｚ１方向（一端面２８ａ側）に引寄せ移動させられ、一端面２８ａに当接する（図１６（Ｂ）参照）。
【００８８】
そして、通常棒金Ａが一端面２８ａに当接した後も収納トレイ２６が矢印Ｚ２方向に押し込まれることにより、フック４２ａが通常棒金Ａの端面に引っ掛かったまま、コイルばね４４がさらに伸張する。最終的に、収納トレイ２６（引出し２４）の装置本体２２の開口部２２ａ内への収納動作が完了すると、図１６（Ｃ）に示すように、通常棒金Ａはコイルばね４４の付勢力により、フック４２ａと一端面２８ａとの間で挟持され保持される。
【００８９】
図１６（Ｃ）に示すように、収納トレイ２６の装置本体２２内への収納が完了した状態では、一端面２８ａ側に寄せられた通常棒金Ａによって全てのセンサＳ１〜Ｓ３が検出状態（ＯＮ）となる。そこで、棒金制御部３６は、これら各センサＳ１〜Ｓ３の検出結果に基づき、通常棒金Ａが１本収納されたと判別する。
【００９０】
次に、図１７を参照して、収納ポケット２８に１本の短棒金Ｂを収納する場合について説明する。
【００９１】
図１７は、棒金収納装置１０ａの収納ポケット２８に１本の短棒金Ｂを収納する動作を示す動作図である。
【００９２】
先ず、装置本体２２内に収納されている収納トレイ２６（図１５（Ａ）参照）を装置本体２２の前面側（矢印Ｚ１方向）へと引出し、収納ポケット２８に１本の短棒金Ｂを収納する（図１７（Ａ）参照）。
【００９３】
続いて、収納トレイ２６の装置本体２２内への押し込みを開始する（図１７（Ｂ）参照）。そうすると、収納トレイ２６と共に矢印Ｚ２方向に移動する短棒金Ｂと、位置が固定されている棒金移動部材４０とが相対的に逆方向に移動し、短棒金Ｂの端面（奥面）にフック４２ａが引っ掛かり、短棒金Ｂはコイルばね４４を伸張させながら、収納ポケット２８内で矢印Ｚ１方向（一端面２８ａ側）に引寄せ移動させられる（図１７（Ｃ）参照）。
【００９４】
そして、短棒金Ｂの端面（手前面）が一端面２８ａに当接した後も収納トレイ２６が矢印Ｚ２方向に押し込まれることにより、フック４２ａが短棒金Ｂの端面に引っ掛かったまま、コイルばね４４がさらに伸張する。最終的に、収納トレイ２６（引出し２４）の装置本体２２の開口部２２ａ内への収納動作が完了すると、図１７（Ｄ）に示すように、短棒金Ｂは、コイルばね４４の付勢力により、フック４２ａと一端面２８ａとの間で挟持され保持される。
【００９５】
図１７（Ｄ）に示すように、収納トレイ２６の装置本体２２内への収納が完了した状態では、一端面２８ａ側に寄せられた１本の短棒金Ｂによって第１センサＳ１が検出状態（ＯＮ）となり、第２，第３センサＳ２，Ｓ３は非検出状態（ＯＦＦ）にある。そこで、棒金制御部３６は、これら各センサＳ１〜Ｓ３の検出結果に基づき、短棒金Ｂが１本収納されたと判別する。
【００９６】
このように、棒金制御装置１０ａを構成する棒金移動部材４０は、棒金の端面に引っ掛かるフック部材４２とこれを弾性支持する伸縮可能なコイルばね４４とを備えるため、フック４２ａと一端面２８ａとの間に棒金を挟持し保持することができる。このため、引出し２４が開口部２２ａの奥部に突き当たった際の衝撃等により、収納ポケット２８内に収納された短棒金Ｂに前後方向の力が作用した場合であっても、該短棒金Ｂはフック４２ａによって移動が規制されているため、短棒金Ｂを確実に第１センサＳ１の検出位置に保持しておくことができる。
【００９７】
次に、図１８を参照して、収納ポケット２８に２本の短棒金Ｂを収納する場合について説明する。
【００９８】
図１８は、棒金収納装置１０ａの収納ポケット２８に２本の短棒金Ｂを収納する動作を示す動作図である。
【００９９】
先ず、装置本体２２内に収納されている収納トレイ２６（図１５（Ａ）参照）を装置本体２２の前面側（矢印Ｚ１方向）へと引出し、収納ポケット２８に２本の短棒金Ｂを収納する（図１８（Ａ）参照）。２本の短棒金Ｂは、両者を直列に当接させた状態で収納してもよく、図１８（Ａ）に示すように両者を離間させた状態で収納してもよい。
【０１００】
続いて、収納トレイ２６の装置本体２２内への押し込みを開始する。そうすると、収納トレイ２６と共に矢印Ｚ２方向に移動する２本の短棒金Ｂと、位置が固定されている棒金移動部材４０とが相対的に逆方向に移動し、奥側（図１８で右側）の短棒金Ｂの端面（奥面）にフック４２ａが引っ掛かり、この奥側の短棒金Ｂはコイルばね４４を伸張させながら、収納ポケット２８内で矢印Ｚ１方向（一端面２８ａ側）に引寄せ移動させられる（図１８（Ｂ）参照）。フック４２ａによって移動された奥側の短棒金Ｂが、手前側（図１８で右側）の短棒金Ｂに当接し、両者が直列に並んだ状態となると、フック４２ａによって矢印Ｚ１方向に引寄せられる奥側の短棒金Ｂと共に、手前側の短棒金Ｂもまとめて一体的に矢印Ｚ１方向に引寄せ移動させられる（図１８（Ｃ）参照）。
【０１０１】
そして、手前側の短棒金Ｂの端面（手前面）が一端面２８ａに当接した後も収納トレイ２６が矢印Ｚ２方向に押し込まれることにより、フック４２ａが奥側の短棒金Ｂの端面に引っ掛かったまま、コイルばね４４がさらに伸張する。最終的に、収納トレイ２６（引出し２４）の装置本体２２の開口部２２ａ内への収納動作が完了すると、図１８（Ｄ）に示すように、フック４２ａが引っ掛けられた奥側の短棒金Ｂと、その手前側の短棒金Ｂとは、コイルばね４４の付勢力により、フック４２ａと一端面２８ａとの間で直列に並んだ状態で挟持され保持される。
【０１０２】
図１８（Ｄ）に示すように、収納トレイ２６の装置本体２２内への収納が完了した状態では、一端面２８ａ側に一体的に寄せられた２本の短棒金Ｂによって第１，第２センサＳ１，Ｓ２が検出状態（ＯＮ）となり、第３センサＳ３は非検出状態（ＯＦＦ）にある。そこで、棒金制御部３６は、これら各センサＳ１〜Ｓ３の検出結果に基づき、短棒金Ｂが２本収納されたと判別する。
【０１０３】
このように、棒金移動部材４０では、２本の短棒金Ｂが収納ポケット２８内に収納された場合であっても、２本の短棒金Ｂはフック４２ａによって移動が規制されるため、引出し２４が開口部２２ａの奥部に突き当たった際の衝撃等により、収納ポケット２８内に収納された短棒金Ｂに前後方向の力が作用した場合であっても、２本の短棒金Ｂを確実に第１，第２センサＳ１，Ｓ２の検出位置に保持しておくことができる。
【０１０４】
以上のように、上記実施形態に係る棒金収納装置１０，１０ａによれば、筐体である装置本体２２に収納可能且つ引出し可能に設置された収納トレイ２６と、収納トレイ２６に設けられ、硬貨の積層枚数が異なる複数種類の棒金（例えば、通常棒金Ａ及び短棒金Ｂ）を収納可能な収納ポケット２８とを備え、さらに、収納ポケット２８内に収納された棒金を検出可能であると共に、該収納された棒金の硬貨の積層枚数による種類の違いに応じた検出結果を出力可能な検出部３４と、収納ポケット２８内に収納された棒金を、検出部３４による検出位置に移動させる棒金移動部材２７，４０とを備える。
【０１０５】
従って、硬貨の積層枚数の異なる複数種類の棒金のいずれかを収納ポケット２８内に収納するだけで、収納された棒金は棒金移動部材２７，４０によって検出部３４による所定の検出位置、上記実施形態では、各センサＳ１〜Ｓ３に対応するように収納ポケット２８の一端面２８ａに寄った位置に移動させられる。これにより、棒金の種類や本数に応じて異なる検出結果が検出部３４から出力され、例えば制御ユニット２１において収納ポケット２８内に収納された棒金の種類や本数を確実に判別できる。しかも、検出部３４の検出位置に棒金を棒金移動部材２７，４０によって移動させることができるので、収納ポケット２８内に多数のセンサを並列する必要がなく、検出部３４を構成するセンサ数を最小限に抑えることができ、低コストで利用者の利便性を向上させることができる。さらに、棒金の種類毎に設定処理等を行う必要がないため、装置の汎用性が向上する。
【０１０６】
この場合、棒金移動部材２７，４０は、装置本体２２に固定されており、収納トレイ２６が装置本体２２の外部へと引出されて収納ポケット２８内に棒金が収納された後、装置本体２２の内部へと収納される際に、収納ポケット２８内に収納された棒金に当接することにより、特別に駆動手段等を備えることなく、引出し２４の収納時の押し込み力のみを利用して、該棒金を収納ポケット２８内で移動させることができる。このため、装置構成をより簡素化し、コストを低減することができ、しかも棒金移動部材２７，４０の駆動制御も不要となることから、構造面だけでなく制御面もより簡素化することができる。
【０１０７】
例えば、棒金移動部材２７，４０は、通常棒金Ａが収納ポケット２８に収納された場合には、全てのセンサＳ１〜Ｓ３が検出状態となる位置に該通常棒金Ａを移動させ、１本の短棒金Ｂが収納ポケット２８に収納された場合には、１個のセンサＳ１が検出状態となる位置に該短棒金Ｂを移動させ、２本の短棒金Ｂが収納ポケット２８に収納された場合には、２個のセンサＳ１，Ｓ２又はＳ１，Ｓ３が検出状態となる位置に該２本の短棒金Ｂを移動させることで、棒金種類や本数の正確な検出を可能としている。
【０１０８】
換言すれば、棒金収納装置１０，１０ａでは、通常棒金Ａが収納された場合には、全てのセンサＳ１〜Ｓ３が検出状態となり（図１０（Ｃ）、図１６（Ｃ）参照）、１本の短棒金Ｂが収納された場合には、１個のセンサＳ１が検出状態となり（図１１（Ｄ）、図１７（Ｄ）参照）、２本の短棒金Ｂが収納された場合には、２個のセンサＳ１，Ｓ２（図１３（Ｃ）、図１８（Ｄ）参照）又はＳ１，Ｓ３（図１４参照）が検出状態となる位置関係で検出部３４を構成する３個のセンサＳ１〜Ｓ３と棒金移動部材２７，４０を設置している。
【０１０９】
上記各実施形態に係る棒金収納装置１０，１０ａを備えた棒金収納管理システムであるレジシステム１２では、棒金収納装置１０の制御ユニット２１（又は制御ユニット１５，１９，２３，２５）に、検出部３４から出力される検出結果に基づき、硬貨の積層枚数の違いによる棒金の種類（例えば、通常棒金Ａ及び短棒金Ｂ）を判別する判別手段である棒金制御部３６を備えることにより、該棒金制御部３６によって収納ポケット２８に収納された棒金の種類を判別し、その収納状態を管理することができる。
【０１１０】
また、上記各実施形態に係る棒金収納装置１０，１０ａでは、２種類の棒金について、１本の通常棒金Ａと、１本又は２本の短棒金Ｂを収納ポケット２８に収納可能な構成を例示したが、図１９に示すように、これら棒金収納装置１０，１０ａは、１本の通常棒金Ａと、１〜３本（又は４本以上）の短棒金Ｂを収納可能に構成することもできる。
【０１１１】
例えば、図１９に示すように、第１〜第３センサＳ１〜Ｓ３の隣にさらに第４センサＳ４を追加することにより、各棒金は棒金移動部材２７（４０）によって収納ポケット２８内で一端面２８ａ側に移動させられるため、１〜３本の短棒金Ｂをそれぞれ第１〜第３センサＳ１〜Ｓ３で検出することができ、さらに、通常棒金Ａを第１〜第４センサＳ１〜Ｓ４で検出することができる。
【０１１２】
図１９に示す例では、一端面２８ａから各センサＳ１，Ｓ２，Ｓ３，Ｓ４までの距離を、それぞれ短棒金Ｂが１本，２本，３本，通常棒金が１本を検出可能な距離に設定することで、棒金移動部材２７（４０）の作用下に各棒金を検出可能としている。換言すれば、最も長い通常棒金Ａを全てのセンサＳ１〜Ｓ４で検出し、これより短い短棒金Ｂをその本数毎に各センサＳ１〜Ｓ３で検出し、短棒金Ｂが収納された状態では、少なくとも棒金移動部材２７（４０）による棒金の移動方向で最も後方側となる他端面２８ｂ側のセンサＳ４が非検出状態となる位置関係となっている。また、この場合には、短棒金Ｂの長さＬＢを、通常棒金Ａの長さＬＡの１／３未満とし、長さＬＢを長さＬＡの４分の１より大きい値となっている（１／４ＬＡ＜ＬＢ＜１／３ＬＡ）。さらに、４本以上の短棒金Ｂを検出・判別可能にするためには５個以上のセンサを通常棒金Ａと、短棒金Ｂの収納本数とを考慮した数だけ設ければよい。
【０１１３】
なお、本発明は、上記した実施形態に限定されるものではなく、本発明の主旨を逸脱しない範囲で自由に変更できることは勿論である。
【符号の説明】
【０１１４】
１０，１０ａ  棒金収納装置
１２  レジシステム
１４  ＰＯＳレジスタ
１５，１９，２１，２３，２５  制御ユニット
１６  貨幣処理装置
１８  釣銭機
２０  釣札機
２２  装置本体
２２ａ  開口部
２２ｂ  天面
２４  引出し
２６  収納トレイ
２７，４０  棒金移動部材
２７ａ  突部
２７ｂ  傾斜面
２８  収納ポケット
２８ａ  一端面
２８ｂ  他端面
３４  検出部
３６  棒金制御部
４２  フック部材
４２ａ  フック
４４  コイルばね
Ａ  通常棒金
Ｂ  短棒金
Ｓ１  第１センサ
Ｓ２  第２センサ
Ｓ３  第３センサ
Ｓ４  第４センサ
【図１】
2014071473.tif 000003
【図２】
2014071473.tif 000004
【図３】
2014071473.tif 000005
【図４】
2014071473.tif 000006
【図５】
2014071473.tif 000007
【図６】
2014071473.tif 000008
【図７】
2014071473.tif 000009
【図８】
2014071473.tif 000010
【図９】
2014071473.tif 000011
【図１０】
2014071473.tif 000012
【図１１】
2014071473.tif 000013
【図１２】
2014071473.tif 000014
【図１３】
2014071473.tif 000015
【図１４】
2014071473.tif 000016
【図１５】
2014071473.tif 000017
【図１６】
2014071473.tif 000018
【図１７】
2014071473.tif 000019
【図１８】
2014071473.tif 000020
【図１９】
2014071473.tif 000021